(57)【要約】【課題】  施設係員が真正か否かを利用者が認識できるようにする。【解決手段】  情報記録媒体読み取り装置（３）で情報記録媒体（１）に記録されている識別情報を読み取って施設及び係員の識別情報とともに施設運営者サーバ（４）に送信し、施設運営者サーバにおいて、情報記録媒体読み取り装置から送信された施設及び係員の識別情報と格納されている施設及び係員の識別情報とを照合して送信された施設及び係員の識別情報が真正か否か判断し、判断結果を利用者の携帯端末（２）に送信するようにしたものである。【選択図】  図１
2005084960.tif 000002
【特許請求の範囲】
【請求項１】
施設利用者が保持し、利用者の識別情報が記録されている情報記録媒体と、
サービスを提供する施設係員が携帯し、施設及び係員の識別情報が登録されている通信機能を有する情報記録媒体読み取り装置と、
情報記録媒体読み取り装置と通信可能であり、施設及び係員の識別情報が格納されるとともに、利用者の識別情報及び該識別情報と関連付けて携帯端末アドレス情報が格納され、情報記録媒体読み取り装置から送信される識別情報と格納されている識別情報とを照合して施設及び係員の識別情報が真正か否か判断し、判断結果を利用者の携帯端末アドレスに送信する機能を有する施設運営者サーバとを備え、
情報記録媒体読み取り装置で情報記録媒体に記録されている識別情報を読み取って施設及び係員の識別情報とともに施設運営者サーバに送信し、施設運営者サーバにおいて、情報記録媒体読み取り装置から送信された施設及び係員の識別情報と格納されている施設及び係員の識別情報とを照合して送信された施設及び係員の識別情報が真正か否か判断し、判断結果を利用者の携帯端末に送信するようにしたことを特徴する身分証明システム。
【発明の詳細な説明】
【技術分野】
【０００１】
本発明は店舗等各種施設において、施設係員の身分を証明できるようにしたシステムに関する。
【背景技術】
【０００２】
近年、ＩＣカード等を利用した商取引が盛んになり、その場合に本人確認が必要となるため利用者の認証機能を有するＩＣカードがいろいろ提案されている。特にマルチアプリケーションのＩＣカードの場合には、本人認証の機能をどのように実現するかが課題であり、１枚の認証カードで複数のサービス提供が受けられるようにする方法も提案されている（特許文献１）。
【０００３】
また、インターネットの利用が盛んになり、店舗等各種施設に出向かずに、画面上での取引を行うことも盛んになっている。しかし、実際には店舗等各種施設に利用者が出向き、そこで施設の係員を通して金銭を手渡したり、個人の所有物を預けたり、あるいは個人情報を知らせたり、支払いを行う等の行為が行われている。このような行為は施設係員と利用者との間に信頼関係が成立することを前提としている。
【特許文献１】特開２００２−４２１０２号公報
【発明の開示】
【発明が解決しようとする課題】
【０００４】
店舗等各種施設において、そこの係員に声をかけられても、特に視覚障害者の場合は、相手が本当に施設の係員なのか否かを確認することができず、不安であり、このような不安は視覚障害者でなくても感じることがある。このことは、特に金銭の支払いや荷物を預けたり、個人情報をユーザーが委ねる際には、相手が信頼できる人であると認識できないのは非常に苦痛であり、ひいては各種施設の利用を減退させてしまうことになる。しかし、特許文献１のように利用者本人を証明する方法はいろいろ提案されているが、サービス提供者側の係員を身分証明する方法は提案されていない。
【課題を解決するための手段】
【０００５】
本発明は上記課題を解決しようとするもので、施設係員が真正か否かを利用者が認識できるようにすることを目的とする。
そのために本発明は、施設利用者が保持し、利用者の識別情報が記録されている情報記録媒体と、
サービスを提供する施設係員が携帯し、施設及び係員の識別情報が登録されている通信機能を有する情報記録媒体読み取り装置と、
情報記録媒体読み取り装置と通信可能であり、施設及び係員の識別情報が格納されるとともに、利用者の識別情報及び該識別情報と関連付けて携帯端末アドレス情報が格納され、情報記録媒体読み取り装置から送信される識別情報と格納されている識別情報とを照合して施設及び係員の識別情報が真正か否か判断し、判断結果を利用者の携帯端末アドレスに送信する機能を有する施設運営者サーバとを備え、
情報記録媒体読み取り装置で情報記録媒体に記録されている識別情報を読み取って施設及び係員の識別情報とともに施設運営者サーバに送信し、施設運営者サーバにおいて、情報記録媒体読み取り装置から送信された施設及び係員の識別情報と格納されている施設及び係員の識別情報とを照合して送信された施設及び係員の識別情報が真正か否か判断し、判断結果を利用者の携帯端末に送信するようにしたことを特徴する。
【発明の効果】
【０００６】
本発明によれば、施設を利用しようとする場合に、施設係員が真正な人間か否かをその場で利用者が認識できるため、安心して係員にサービス提供を依頼することが可能となる。
【発明を実施するための最良の形態】
【０００７】
以下、本発明の実施の最良の形態について説明する。
図１は本発明の身分証明システムを説明する概念図である。
１は利用者が所持する情報記録媒体で、利用者の申請により施設運営者が発行する非接触ＩＣタグであり、アンテナを内蔵していて非接触で読取り機と通信可能である。この非接触ＩＣタグには、それぞれ利用者を特定するための識別情報（利用者ＩＤ）が記録されている。３は施設係員が携帯する情報記録媒体読取り機で、利用前に施設及び係員の識別情報（係員ＩＤ）が登録されている。この情報記録媒体読取り機３は、通信機能を有し、所定距離内の非接触ＩＣタグ１と通信してそこに格納されている利用者ＩＤを読み取り、登録されている施設及び係員のＩＤとともに、施設運営者サーバ４に送信する。
【０００８】
施設運営者サーバ４は、施設のＩＤと施設毎にその係員のＩＤをデータベース化して格納している。図示の例では施設ＩＤが「ＡＡ」の施設の係員について「１１１１」、「２２２２」のＩＤが登録され、施設ＩＤが「ＢＢ」の施設の係員について「３３３３」、「５５５５」のＩＤが登録されている。また、利用者ＩＤに関連付けて利用者の携帯端末のアドレスが登録されており、図示の例では、利用者ＩＤが「××××」に対して携帯端末のアドレス「０１２３４５６７８９」が登録され、利用者ＩＤが「○○○○」に対して携帯端末のアドレス「９８７６５４３２１０」が登録されている。
【０００９】
施設運営者サーバ４は、情報記録媒体読取り機３から施設ＩＤ、係員ＩＤ、利用者ＩＤが送信されると、データベースを検索して送信された施設ＩＤ、係員ＩＤと照合する。照合の結果、登録されていれば、送信されたＩＤが真正なものであり、登録されていなければ真正でないと判断する。この判断結果を直ちに利用者ＩＤと関連付けて登録されている携帯端末２に対して返信する。
【００１０】
このようなシステム構成をしているので、利用者がある施設を利用する場合、施設係員が携帯する情報記録媒体読取り機３に非接触ＩＣタグ１に格納されている利用者ＩＤを読み取らせ、読み取った利用者ＩＤが施設ＩＤ、係員ＩＤとともに施設運営者サーバ３に送信される。施設運営者サーバ３ではデータベースを検索して送信されたＩＤが登録されているか否か、即ち真正なものであるか否かを判断し、判断結果を利用者ＩＤに関連付けて登録されている携帯端末に返信してくるので、利用者はサーバから送信されてきた判断結果を元に真正であると分かれば施設係員にサービスの依頼を行い、真正でないと判断した場合には行わないようにすることができる。
【産業上の利用可能性】
【００１１】
以上のように本発明は、施設を利用しようとする場合に、施設係員が真正な人間か否かをその場で認識できるため、安心して係員にサービス提供を依頼することが可能となり、産業上の利用可能性が大きい。
【図面の簡単な説明】
【００１２】
【図１】本発明の身分証明システムを説明する概念図である。
【符号の説明】
【００１３】
１…非接触ＩＣタグ、２…携帯端末、３…情報記録媒体読取り機、４…施設運営者サーバ。
【図１】
2005084960.tif 000003